(57)【特許請求の範囲】
【請求項１】
複数の管理区域の各々に、管理区域内へ入場しようとする者が所持するＩＣカードからその記録情報を読取るリーダライタと、管理区域内への入場の可否についての入場管理情報を登録した入場管理用データベースと、管理区域内への入口のゲートを施解錠する錠装置と、前記ＩＣカードの前記記録情報を前記入場管理用データベースに登録されている前記入場管理情報と照合して入場の可否を判断し入場可のとき前記錠装置を解錠する制御装置とを備えた施解錠システムを設けてなる入場管理システムにおいて、
前記複数の管理区域の前記施解錠システムの少なくとも一つに、他のいずれかの管理区域への入場を新たに許可または禁止する者についての新規管理情報を登録する新規情報用データベースを設け、
前記ＩＣカードを所持する者が前記新規情報用データベースを備えた前記施解錠システムによって入場を許可されたとき、その者の前記ＩＣカードに対し、当該施解錠システムの前記リーダライタによって前記新規情報用データベースに登録された前記新規管理情報を書込み、
前記新規管理情報が書込まれた前記ＩＣカードを所持する者が、当該新規管理情報が対象とする管理区域の前記施解錠システムによって入場を許可されたとき、その者の前記ＩＣカードに書込まれた前記新規管理情報を当該施解錠システムの前記リーダライタにより読取って当該入場管理情報を前記入場管理用データベースの前記入場管理情報に追加または当該新規管理情報に基づいて前記入場管理用データベースの前記入場管理情報を変更することを特徴とする入場管理システム。
【請求項２】
前記新規管理情報中に、入場の許可または禁止を表す情報を備え、前記制御装置は、前記新規管理情報による対象者について、前記許可または禁止の情報によって入場の許可または禁止の判定を行うことを特徴とする請求項１記載の入場管理システム。
【請求項３】
前記新規管理情報中に、複数の管理区域を表す情報を備えることで、当該複数の管理区域の前記施解錠システムの前記入場管理用データベースに対して前記新規管理情報の追加または当該新規管理情報による変更が行われることを特徴とする請求項１または２記載の入場管理システム。
【請求項４】
前記新規管理情報に時間または期間に関する情報を備えることで、期限付きでの入場の許可または禁止の判定が行われることを特徴とする請求項１ないし３のいずれかに記載の入場管理システム。
【請求項５】
前記ＩＣカードの記録情報には、当該ＩＣカードを保持者の職位が含まれていると共に、前記新規管理情報には、前記入場を新たに許可または禁止される者の職位が含まれ、
前記施解錠システムには、
前記新規情報用データベースが設けられた前記施解錠システムによって入場が許可された者の前記ＩＣカードの記録情報と前記新規管理情報とを比較する比較手段と、
前記ＩＣカードの記録情報のうちの職位が前記入場を新たに許可または禁止される者の職位以上であるか否かによって前記ＩＣカードの保持者が前記新規管理情報を書込むに適する資格者であるか否かを判断する判断手段と
が設けられていることを特徴とする請求項１ないし４のいずれかに記載の入場管理システム。
【請求項６】
前記新規情報用データベースが設けられた少なくとも一つの前記施錠システムは、前記複数の管理区域のうち、他のいずれかの管理区域を含む管理区域の施錠システムであることを特徴とする請求項１ないし５のいずれかに記載の入場管理システム。
【発明の詳細な説明】
【技術分野】
【０００１】
本発明は、複数の管理区域の各々に、管理区域内へ入場しようとする者の適否を判断して入口のゲートを施解錠する施解錠システムを設けて構成される入場管理システムに関する。
【背景技術】
【０００２】
入室管理システムでは、入室管理の対象となる部屋にリーダライタを設け、このリーダライタによって、その部屋に入ろうとする者のＩＣカードに記録されたＩＤ情報を読取り、そのＩＤ情報が予め登録された登録者データ群の一つと一致する場合に限り、部屋の入口のドアを解錠するようにしている。
【０００３】
このような入室管理システムにおいは、部屋への入場を許可する者を追加したり、或いは削除したりすることが必要となるため、これに容易に対応できるようにしなければならない。そのために、例えば特許文献１では、カードリーダにモード切替えを行う機能設定スイッチを設け、この機能設定スイッチにより登録モードに設定すると、登録者データの新規登録を行うことができ、また、削除モードに設定すると、既登録者データを削除することができるようにしている。
【特許文献１】特開平６−１０８７１７号公報
【発明の開示】
【発明が解決しようとする課題】
【０００４】
入室管理システムは、通常は、１つの部屋を対象にして、その部屋への入場を管理している。大規模な工場や研究所では、入室を制限すべき部屋が数多くあり、このような場合には、工場や研究所の敷地内への入場を管理するための門扉の施解錠システムや、各部屋のドアの施解錠システムをネットワークによって１台のサーバに接続して集中管理することが行われる。しかしながら、この集中管理型のシステムでは、サーバやネットワークの負担が大きく、入場時の応答性が問題となる。この問題を回避するために、工場や研究所内を複数の管理区域に分け、管理区域毎に独立した入場管理を行う分散管理型のシステムが採用される。
分散管理型のシステムの場合、各管理区域についての入場の許可情報の登録は管理区域毎に独立して行わねばならないが、入力漏れなどによって入場できなくなる不具合が生ずる。この問題は、各部屋に設置されたカードリーダを操作して入室許可すべき者のデータを入力する構成の前記特許文献１によっては解消できない。
【０００５】
本発明は、上記の事情に鑑みてなされたもので、その目的は、複数の管理区域の各々に施解錠システムを設けてなる入場管理システムにおいて、各管理区域への入場を許可されるべき者の登録や入場を禁止されるべき者の登録削除がなされないまま放置されることを防止できる入場管理システムを提供することにある。
【課題を解決するための手段】
【０００６】
請求項１の発明は、複数の管理区域の各々に、管理区域内へ入場しようとする者が所持するＩＣカードからその記録情報を読取るリーダライタと、管理区域内への入場の可否についての入場管理情報を登録した入場管理用データベースと、管理区域内への入口のゲートを施解錠する錠装置と、前記ＩＣカードの前記記録情報を前記入場管理用データベースに登録されている前記入場管理情報と照合して入場の可否を判断し入場可のとき前記錠装置を解錠する制御装置とを備えた施解錠システムを設けてなる入場管理システムにおいて、前記複数の管理区域の前記施解錠システムの少なくとも一つに、他のいずれかの管理区域への入場を新たに許可または禁止する者についての新規管理情報を登録する新規情報用データベースを設け、前記ＩＣカードを所持する者が前記新規情報用データベースを備えた前記施解錠システムによって入場を許可されたとき、その者の前記ＩＣカードに対し、当該施解錠システムの前記リーダライタによって前記新規情報用データベースに登録された前記新規管理情報を書込み、前記新規管理情報が書込まれた前記ＩＣカードを所持する者が、当該新規管理情報が対象とする管理区域の前記施解錠システムによって入場を許可されたとき、その者の前記ＩＣカードに書込まれた前記新規管理情報を当該施解錠システムの前記リーダライタにより読取って当該入場管理情報を前記入場管理用データベースの前記入場管理情報に追加または当該新規管理情報に基づいて前記入場管理用データベースの前記入場管理情報を変更することを特徴とする入場管理システムにある。
この構成によれば、新規情報用データベースに登録した新規管理情報は、ＩＣカードを媒体として、その新規管理情報が対象とする管理区域の入場管理用データベースに格納されるので、当該管理区域への入場を許可されるべき者や入場を禁止されるべき者の情報が入力されないまま放置されることを防止できる。
【０００７】
請求項２の発明は、前記新規管理情報中に、入場の許可または禁止を表す情報を備え、前記制御装置は、前記新規管理情報による対象者について、前記許可または禁止の情報によって入場の許可または禁止の判定を行うことを特徴とする入場管理システムにある。
この構成によれば、ある人がある管理区域へ新たに入場を許可された場合、その管理区域の入場管理用データベースにその人の入場を許可する旨の情報が登録されるが、その後、その人の当該管理区域への入場が禁止された場合には、その人の登録を全て削除するのではなく、禁止情報を書き込み、再度、その人が当該管理区域への入場を許可された場合には、許可情報を書き込むことで対応できるので、入場管理用データベースへの入場の許可、禁止の登録を簡易に行うことができるようになる。
【０００８】
請求項３の発明は、前記新規管理情報中に、複数の管理区域を表す情報を備えることで、当該複数の管理区域の前記施解錠システムの前記入場管理用データベースに対して前記新規管理情報の追加または当該新規管理情報による変更が行われることを特徴とする入場管理システムにある。
この構成によれば、ある人の１つの新規管理情報によって、その人について複数の管理区域への情報とすることができる。
【０００９】
請求項４の発明は、前記新規管理情報に時間または期間に関する情報を備えることで、期限付きでの入場の許可または禁止の判定が行われることを特徴とする入場管理システムにある。
この構成によれば、時間または期限の経過によって自動的に入場禁止と判定されるので、入場禁止をする時点で再度新規管理情報を作成しなくとも済む。
【００１０】
請求項５の発明は、前記ＩＣカードの記録情報には、当該ＩＣカードを保持者の職位が含まれていると共に、前記新規管理情報には、前記入場を新たに許可または禁止される者の職位が含まれ、前記施解錠システムには、前記新規情報用データベースが設けられた前記施解錠システムによって入場が許可された者の前記ＩＣカードの記録情報と前記新規管理情報とを比較する比較手段と、前記ＩＣカードの記録情報のうちの職位が前記入場を新たに許可または禁止される者の職位以上であるか否かによって前記ＩＣカードの保持者が前記新規管理情報を書込むに適する資格者であるか否かを判断する判断手段とが設けられていることを特徴とする入場管理システムにある。
この構成によれば、新たに入場の許可または禁止の新規管理情報を登録する場合、その新規管理情報の伝達媒体となるＩＣカードの所有者が当該新規管理情報を書込むに適した資格を有する者であるか否かを判断し、資格を有さない者である場合には、その者のＩＣカードには新規管理情報を書込まないので、重要な情報を持つ資格のない人が重要な情報を記録したＩＣカードを携帯するという不具合をなくすことができる。
【００１１】
請求項６の発明は、前記新規情報用データベースが設けられた少なくとも一つの前記施錠システムは、前記複数の管理区域のうち、他のいずれかの管理区域を含む管理区域の施錠システムであることを特徴とする入場管理システムにある。
この構成によれば、新規情報用データベースが設けられた管理区域はより多くの人が入場するので、新規管理情報を書込むべき管理区域の入場管理用データベースへの早期登録が可能となる。
【発明を実施するための最良の形態】
【００１２】
以下、本発明の一実施形態を図１ないし図５に基いて説明する。図１は例えば工場１の全体を示す平面図であり、工場１の敷地内に、事務棟２、設計棟３、実験棟４、生産棟５が設けられている。工場１の敷地内へは、正門（入口）６或いは裏門（入口）７から入場し、また、各棟２〜５内へは、それぞれの出入口（入口）８〜１１から入場する。勿論、工場１や各棟２〜５から退場する場合も、それら正門６或いは裏門７、各出入口８〜１１を使用する。
【００１３】
工場１の正門６および裏門７、各棟２〜５の出入口８〜１１には、それぞれ自動開閉式のゲート（扉）１２および各ゲート１２を閉じた状態で施錠する電動式の錠装置１３が設けられている。各ゲート１２の錠装置１３は、工場１、各棟２〜５の施解錠システムによって制御される。即ち、工場１に勤務する従業者は、各自がＩＣカード１４を有しており、各施解錠システムは、このＩＣカード１４の記録情報を基に入場を許可するか否かを判断し、その判断結果に応じて錠装置１３を施解錠する。
【００１４】
上記工場１の施解錠システム、各棟２〜５の出入口８〜１１の施解錠システムは、互いに独立したシステムとなっており、それら複数（５つ）の施解錠システムによって入場管理システムが構成されている。上記各施解錠システムのうち、工場１の正門６および裏門７の施解錠システムの構成は図２に示されている。また、各棟２〜５の施解錠システムの構成は同一であり、図３に示されている。
【００１５】
図２に示す工場１の施解錠システムは、正門６、裏門７の各ゲート１２を施解錠する２台の前記錠装置１３の他、正門６と裏門７にそれぞれ設置されたリーダライタ１５、制御装置１６、入場管理用データベース１７、新規情報用データベース１８、入力手段としてのパソコン１９から構成されている。
上記入場管理用データベース１７は、工場１内への入場を許可された者の情報を格納しており、制御装置１６は、リーダライタ１５がＩＣカード１４から読取った情報と入場管理用データベース１７に格納された情報とを照合して入場を許可すべきか否かを判断する。また、パソコン１９は、新たに工場１或いは各棟２〜５への入場を許可された者および禁止された者の情報（新規登録情報）を入力するためのもので、このパソコン１９から入力された新規登録情報は、新規情報用データベース１８に格納される。そして、この新規情報用データベース１８に格納された新規登録情報は、制御装置１６の制御下でリーダライタ１５によってＩＣカード１４に書込まれるようになっている。
【００１６】
一方、図３に示す各棟２〜５の施解錠システムは、出入口８〜１１のゲート１４〜１７を施解錠する前記電動式の錠装置１３の他、出入口８〜１１に設置されたリーダライタ１５、制御装置２０、入場管理用データベース２１から構成されている。このように各棟２〜５の施解錠システムは、基本的には工場１の施解錠システムと同じであるが、新規情報用データベース１８およびパソコン１９を備えていないところで異なる。
【００１７】
この各棟２〜５の施解錠システムにおいて、入場管理用データベース２１は、各棟２〜５内への入場を許可された者の情報を格納しており、制御装置２０は、リーダライタ１５がＩＣカード１４から読取った情報と入場管理用データベース２１に格納された情報とを照合して入場を許可すべきか否かを判断する。また、制御装置２０は、ＩＣカード１４に新規登録情報が書込まれていた場合、その新規登録情報を入場管理用データベース２１に格納すべきか否かを判断するようになっている。なお、工場１の制御装置１６も、ＩＣカード１４に新規登録情報が書込まれていた場合には、その新規登録情報を入場管理用データベース１７に格納すべきか否かを判断するようになっている。
【００１８】
ここで、ＩＣカード１４に当初記録される情報は、その所持者の識別情報としてのＩＤ番号、所属部署、職位、入場可能な管理区域（複数記載可能）をそれぞれ示す情報からなる。また、入場管理用データベース１７，２２に格納された情報は、一般情報と個人情報とからなる。そのうち、一般情報としては、その施解錠システムによって入場管理する管理区域およびゲートを示す情報、入場を許可する者の所属部署の情報、入場を許可する者の職位を示す情報を含み、個人情報としては、入場が許可された者の各人についてのＩＤ番号、入場許可有効期限、その入場許可や入場許可有効期限の決定日時などの情報を含む。なお、入場禁止は、入場許可有効期限を付加することにより、その有効期限の経過によってなされる。また、入場禁止後の入場許可は、入場許可の有効期限を修正することによってなされる。
【００１９】
新規情報用データベース１８に格納される新規登録情報には、新規に入場を許可または禁止される者の各人について、そのＩＤ番号、新規登録は追加（入場管理用データベース１７，２２への新規登録）なのか変更（入場管理用データベース１７，２２に既に登録されている事項の変更）なのかの区別、所属部署、職位、入場許可の管理区域（複数の管理区域を記載可能）、入場許可の有効期限（入場の禁止を表す情報）、新規入場許可や有効期限を決定した日時の各情報が含まれる。
【００２０】
次に上記のように構成した入場管理システムの作用を図４および図５のフローチャートをも参照しながら説明する。工場１内へ入場する場合、従業者は携帯するＩＣカード１４を正門６または裏門７のリーダライタ１５に翳す。すると、カードリーダ２０がＩＣカード１４と通信リンクを確立してその記録情報を読取る（図４（ａ）のステップＳ１、ステップＳ２）。そして、制御装置１６は、ＩＣカード１４の記録情報と、入場管理用データベース１７に格納されている情報とを照合する（ステップＳ３）。
【００２１】
そして、照合の結果、そのＩＣカード１４の所有者が入場管理用データベース１７に入場許可者として登録されていなかった場合、制御装置１６は、ステップＳ３で「ＮＯ」と判断し、工場１内への入場について入場禁止・警告処理を行う（ステップＳ４）。この場合の入場禁止・警告処置とは、ＩＣカード１４の記録情報を読取ったカードリーダ２０が正門６のものか、裏門７のものかを判断し、その判断結果に応じて正門６または裏門７のゲート１２を錠装置１３によって閉鎖位置に施錠し、その者の入場を遮ると共に、図示しないブザーなどの発音装置によって警告音を発する、という内容のものである。
【００２２】
一方、ＩＣカード１４を所持する者が入場管理用データベース１７に入場許可者として登録されていた場合には、制御装置１６は、次に新規登録情報の書込み処理を行う（ステップＳ５）。この書込み処理の詳細は図４（ｂ）に示されている。即ち、書込み処理を開始すると、制御装置１６は、まず工場１内への入場を許可した者の所属部署の情報を抽出し（ステップＳ５−１）、次いで新規情報用データベース１８に格納されている情報のうちから最初の１つ（一人分）の新規登録情報を抽出し（ステップＳ５−２で「ＮＯ」、ステップＳ５−３）、その新規登録情報のうち新規登録者の所属情報が工場１内への入場を許可した者の所属と一致しているか否かを判断する（ステップＳ５−４）。
【００２３】
工場１への入場を許可された者の所属が新規に登録される者の所属と一致しない場合（ステップＳ５−４で「ＮＯ」）、制御装置１６は、次の１つの新規登録情報を抽出し（ステップＳ５−２で「ＮＯ」、ステップＳ５−３）、その新規登録情報のうちの所属情報が工場１内への入場を許可した者の所属と一致しているか否かを判断する（ステップＳ５−４）。
【００２４】
工場１への入場を許可された者の所属が新規に登録される者の所属と一致する場合（ステップＳ５−４で「ＹＥＳ」）、制御装置１６は、その新規に登録される者の新規登録情報を、制御装置１６自身が有する図示しないメモリ（記憶手段）中に割り当てられた書込みリスト部分に一時的に記憶させる（ステップＳ５−５）。そして、以上の新規情報用データベース１８から順次１つずつ新規登録情報を抽出してその者の所属が工場１内への入場を許可された者の所属と一致する場合に、その新規登録情報を書込みリストとして図示しないメモリに記憶させる、という動作を新規情報用データベース１８に格納された全新規登録情報について行い、全ての新規登録情報について行ったところで、新規登録情報書込み処理を終了する（ステップＳ５−２で「ＹＥＳ」、リターン）。
【００２５】
次に、新規登録情報書込み処理を終了すると、制御装置１６は、書込みリストに新規登録情報が書込まれているか否かを判断する（ステップＳ６）。新規登録情報が書込まれている場合、制御装置１６は、ＩＣカード１４の記録情報を読取ったリーダライタ１５に対し、書込みリストに書込まれている新規登録情報を送り（ステップＳ６で「ＹＥＳ」）、当該リーダライタ１５は、その新規登録情報をＩＣカード１４に書込む（ステップＳ７）。
【００２６】
その後、制御装置１６は、ＩＣカード１４の記録情報を読取ったカードリーダ２０が所属する門６または７の錠装置１３を解錠する（ステップＳ８）。これにより、ゲート１２が自動的に開放してその者の入場を許可する。勿論、書込みリストに新規登録情報が書込まれていなかった場合には、制御装置１６は、ＩＣカード１４への新規登録情報の書込みを行うことなく、錠装置１３を解錠する（ステップＳ６で「ＮＯ」、ステップＳ８）。
【００２７】
新規登録情報が書込まれたＩＣカード１４を携帯する従業者が他の管理区域、例えば設計棟３へ入場するために、携帯するＩＣカード１４を設計棟３の出入口９に設置されているリーダライタ１５に翳すと、そのリーダライタ１５がＩＣカード１４と通信リンクを確立し、まず、そのＩＣカード１４からその記録情報を読取る（図５（ａ）のステップＡ１で「ＹＥＳ」、ステップＡ２）。そして、制御装置２０は、ＩＣカード１４の記録情報と、設計棟３の入場管理用データベース２１に格納されている情報とを照合する（ステップＡ３）。
【００２８】
この照合の結果、そのＩＣカード１４の所有者が入場管理用データベース２１に入場許可者として登録されていない場合、制御装置２０は、ステップＡ３で「ＮＯ」と判断し、設計棟３内への入場について前述したと同様の入場禁止・警告処理を行う（ステップＡ４）。ＩＣカード１４の所有者が入場管理用データベース２１に入場許可者として登録されていた場合、制御装置２０は、ＩＣカード１４からその新規登録情報を読取る（ステップＡ５）。
【００２９】
次に、制御装置２０は、入場管理用データベース２１への情報の追加・修正処理を行う（ステップＡ６）。この追加・修正処理の内容は、図５（ｂ）に示されている。即ち、追加・修正処理では、制御装置２０は、まず新規登録情報の読取り処理の結果、実際にＩＣカード１４から読み出した新規登録情報が存在するか否かを判断する（ステップＡ６−１）。新規登録情報が無ければ、制御装置２０は、追加・修正処理を終了する（ステップＡ６−１で「ＮＯ」、リターン）。
【００３０】
新規登録情報がある場合（ステップＡ６−１で「ＹＥＳ」）には、制御装置２０は、次に、ＩＣカード１４から読取った１つの新規登録情報を抽出し（ステップＡ６−２）、その新規登録情報のうちの入場許可または禁止の地域（棟）が当該入場管理用データベース２１に格納されている一般情報のうちの管理区域と一致しているか否かを判断する（ステップＡ５−３）。そして、両者の管理区域が一致していなかった場合、制御装置２０は、次の新規登録情報を抽出する（ステップＡ６−３で「ＮＯ」、ステップＡ５−２）。
【００３１】
新規登録情報のうちの入場許可または禁止の地域が当該入場管理用データベース２１に格納されている一般情報のうちの管理区域と一致している場合、制御装置２０は、その新規登録情報を入場管理用データベース２１に格納する（ステップＡ６−３で「ＹＥＳ」、ステップＡ６−４）。この場合、新規登録情報中の、新規登録は追加なのか変更なのかを区別する情報に従って追加、修正処理を行う。
【００３２】
例えば、新規登録情報に示されたＩＤ番号が入場管理用データベース２１に登録されていなければ（新規登録情報中の、新規登録は追加なのか変更なのかを区別する情報は追加）、その新規登録情報をそのまま入場管理用データベース２１に格納する（追加）。また、入場管理用データベース２１にＩＤ番号が既に登録された者であった場合には（新規登録情報中の、新規登録は追加なのか変更なのかを区別する情報は変更）、その新規登録情報のうち、既登録情報と異なる部分のみを登録する（部分追加）。例えば、入場許可や禁止の有効期限が延長されたのであれば、既登録の有効期限の部分に新規登録情報中の有効期限を上書きして修正（更新）し、既登録情報中になく新規情報中にある情報については、その新規情報中だけにある情報は、既登録情報に追加する形態で格納する。
【００３３】
以上のような各ステップを新規登録情報の一つ一つについて行い、全ての新規登録情報について行ったところで（ステップＡ６−５で「ＹＥＳ」）、制御装置２０は、追加・修正処理を終了し、リターンとなる。そして、このようなステップＡ６の追加・修正処理を終了した後、制御装置２０は、ステップＡ７に移行し、ここで錠装置１３を解錠してゲート１２を開かせる（解錠処理）。
【００３４】
さて、設計棟３の入場管理用データベース２１に新規登録情報を登録された者がそのＩＣカード１４を設計棟３のリーダライタ１５に翳すと、上記と同様にしてそのＩＣカード２５に記録された情報と入場管理用データベース２１に格納された情報とが照合される。この場合、その新規に設計棟３内への入場を許可或いは禁止された者については、新規登録情報として入場管理用データベース２１に格納されているので、その者の設計棟３への入場は許可或いは禁止されることとなる。
新規登録情報が書込まれたＩＣカード１４を携帯する従業者が事務棟２、実験棟４、生産棟５へ入場する場合についても、その棟への入場が許可されると、その入場が許可された者のＩＣカード１４に書き込まれていた新規登録情報は、上記したと同様にしてその棟を管理する施解錠システムの入場管理用データベース２１に新規登録情報が格納される。
【００３５】
なお、工場１への入場を管理する施解錠システムの入場管理用データベース１７に格納すべき新規登録情報も、上記したと同様にしてＩＣカード１４を介して格納されるが、ＩＣカード１４を介さず、新規情報用データベース１８に格納された新規登録情報を制御装置１６が直接的に入場管理用データベース１７に格納するように構成しても良い。
【００３６】
このように本実施例によれば、各管理区域への入場が新たに許可された者、或いは各管理区域への入場が禁止となる者が存在する場合、その新規登録情報を工場１の施解錠システムに設けられた新規情報用データベース１８に格納しておけば、その新規登録情報は、工場１内への入場を許可された者のＩＣカード１４に記録され、そして、そのＩＣカード１４を伝達媒体として新規登録情報の登録対象となっている管理区域の入場管理用データベース１７，２２に格納される。このため、人事担当者が、対象となる棟の入場管理用データベース１７，２２に直接新規登録情報を格納しなければならない場合に比べて、その入力先を間違えたりすることがなく、より正確に格納することが可能となる。
この場合、工場１の正門６或いは裏門７は、従業者の全てが通る門であるから、新規登録情報は、確実に従業者のＩＣカード１４に記録される。このため、その新規登録情報が登録対象となっている入場管理用データベース１７，２２に確実且つ迅速に格納されるようになる。
【００３７】
また、本実施形態では、新規登録情報中に、職位、入場許可または禁止の管理区域、入場許可または禁止の有効期限、新規入場許可または禁止や有効期限を決定した日時の各情報が含まれているので、以下のような副次的効果を得ることができる。
まず、本実施形態では、区域への入場の許可は、入場管理用データベース１７，２２へのＩＤ番号の登録によって行われ、入場禁止は、入場許可について有効期限を設けることによって行われる。このため、入場禁止の場合でも、入場許可の有効期限を変更するだけで、入場許可、入場禁止をすることができるので、入場禁止の場合に、該当者の情報そのものを全て抹消する場合に比べ、入場許可、禁止の登録を簡易に行うことができる。
【００３８】
また、登録情報に職位が含まれることにより、例えば、実験棟４には、実験棟４に勤務する者は全員、設計棟３に所属する従業者はほぼ全員の入場が許可されるとして、事務棟２に所属する従業者は、ある職位、例えば部長職以上の者しか入場できない規則である場合、設計棟３や実験棟４に勤務する者のうち、部長職以上の職位の者のＩＣカード１４にしかその事務等３の部長職以上の入場を新規に許可するための新規登録情報を書き込まないようにすることができる。このようにすることによって、ある意味で重要な情報を職位の下位の者のＩＣカード１４に書込まれることがないようにすることができ、また、職位の下の者が上の者の入場を許可するといったある種不具合な形態が生ずることをなくすことができる。
【００３９】
更に、新規入場許可または新規入場禁止の決定の日時情報が含まれているので、ある従業者について、短時間のうちに入場を許可する決定と、入場を禁止する決定とが時間的に接近してなされ、それぞれが新規登録情報として新規情報用データベース１８に前後して格納された場合、許可、禁止、許可が繰り返されるという不具合の発生を防止できる。
即ち、決定の日時情報が含まれていないと、工場１に入る時刻によって従業者のＩＣカード１４に記録される新規登録情報の内容が許可であったり禁止であったりするので、ある従業者のＩＣカード１４から読み取った新規登録情報では入場許可と登録し、別の従業者のＩＣカード１４から読み取った新規登録情報では入場禁止と登録したりするので、入場の許可、禁止、許可、禁止が繰り返され、意図した通りの許可、禁止の処理ができなくなる。しかし、決定の日時が情報として含まれていれば、最新の決定日時の新規登録情報が正しい情報と判断することによって、入場の許可と禁止とが繰り返し登録されてしまうといった不具合を防止することができるものである。
【００４０】
なお、新規登録情報が入場禁止を内容とするものであったような場合に、入場管理用データベース１７，２２に登録されているその者の情報を抹消してしまうものであっては、先に登録されていた決定日時情報も無くなってしまうので、上記した入場の許可、禁止、許可、禁止の繰り返しは防止できないことは言うまでもない。
本発明は上記し且つ図面に示す実施例に限定されるものではなく、以下のような拡張或いは変更が可能である。
【００４１】
図６に示す他の実施形態のように、例えば設計棟３内に存在する複数室に入場する場合に、入場資格を有する者しか入場できないように施解錠システムを構築する場合、各室（各管理区域）に対して一対一に錠装置１３とリーダライタ１５と制御装置１６を設け、入場管理用データベース２１については、各室に共通とするように構成しても良い。
新規情報用データベース１８を設ける施解錠システムは、工場１のそれに限らないが、できるだけ従業者の大多数が通る部門の施解錠システムに設けることが好ましい。
【図面の簡単な説明】
【００４２】
【図１】本発明の一実施形態を示すもので、工場の複数の施解錠システムの管理区域を示す平面図
【図２】工場の正門および裏門の施解錠システムの電気的構成を示すブロック図
【図３】各棟の出入口の施解錠システムの電気的構成を示すブロック図
【図４】（ａ）は工場の正門および裏門の施解錠システムの制御内容を示すフローチャート、（ｂ）は新規登録情報のＩＣカードへの書込みのためのフローチャート
【図５】（ａ）は各棟の出入口の施解錠システムの制御内容を示すフローチャート、（ｂ）は入場管理用データベースへの新規登録情報の格納のフローチャート
【図６】本発明の他の実施形態を示す図３相当図
【符号の説明】
【００４３】
図面中、１は工場（管理区域）、２は事務棟（管理区域）、３は設計（管理区域）、４は実験棟（管理区域）、５は生産棟（管理区域）、６は正門（入口）、７は裏門（入口）、８〜１１は出入口（入口）、１２はゲート、１３は錠装置、１４はＩＣカード、１５はリーダライタ、１６は制御装置、１７は入場管理用データベース、１８は新規情報用データベース、１９はパソコン、２０は制御装置、２１は入場管理用データベースを示す。
【図１】
0004682811.tif 000002
【図２】
0004682811.tif 000003
【図３】
0004682811.tif 000004
【図４】
0004682811.tif 000005
【図５】
0004682811.tif 000006
【図６】
0004682811.tif 000007